(57)【要約】【課題】ノートパソコンではノートパッドによる指の操作にてマウスポインタを移動させていたが作業効率が悪いという難点があった。【解決手段】画面任意の座標にマウスポインタ写像Ａを配置しマウスポインタ切り替えボタン等押下後、現在のマウスポインタ座標にマウスポインタ写像を配置しマウスポインタ写像Ａへ瞬時に移動すると同時にマウスポインタ写像Ａを消去する事によりマウスポインタを瞬時に移動出来る事を特徴とするマウスポインタ切り替えシステムを提供する事を課題とする。【選択図】図１
2006139742.tif 000002
【特許請求の範囲】
【請求項１】
画面任意の座標にマウスポインタ写像を配置しマウスポインタ切り替えボタン等押下後、現在のマウスポインタ座標からマウスポインタ写像へマウスポインタが瞬時に移動する事が出来るマウスポインタ切り替えシステム。
【請求項２】
設定にてマウスポインタ写像数を１個にした場合、画面任意の座標にマウスポインタ写像Ａを配置しマウスポインタ切り替えボタン等押下後、現在のマウスポインタ座標にマウスポインタ写像を配置しマウスポインタ写像Ａへマウスポインタを瞬時に移動させると同時にマウスポインタ写像Ａを消去する事によりマウスポインタを瞬時に移動出来る事を特徴とするマウスポインタ切り替えシステム。
【請求項３】
使用者が画面上に表示される前記マウスポインタ写像の個数及び色及び形状及び表示のオン・オフ等を設定にて変更出来る事を特徴とするマウスポインタ切り替えシステム。
【請求項４】
画面上のアイコン等をクリック及びダブルクリック及びドラッグ等を実行した後にマウスポインタ切り替えボタン等にてマウスポインタ写像へマウスポインタを移動させても前記アイコン等の選択状態が維持されている事を特徴とするマウスポインタ切り替えシステム。
【請求項５】
前記マウスポインタ写像は新たにＷＩＮＤＯＷが開いた場合にも常に前面に表示されるように再描画表示機能を備えたマウスポインタ切り替えシステム。
【発明の詳細な説明】
【技術分野】
【０００１】  この発明は、マウスポインタ切り替えシステムに関する。
【背景技術】
【０００２】  ノートパソコンではノートパッド等を使用し指の操作にてマウスポインタを移動させていたが作業効率が悪いという難点があった。
【発明の開示】
【発明が解決しようとする課題】
【０００３】従来の技術によれば、ノートパソコンではノートパッドを使用し指の操作にてマウスポインタを移動させていたが作業効率が悪いという難点があった。
そこでこの発明は画面任意の座標にマウスポインタ写像Ａを配置しマウスポインタ切り替えボタン等押下後、現在のマウスポインタ座標にマウスポインタ写像を配置しマウスポインタ写像Ａへマウスポインタを瞬時に移動させると同時にマウスポインタ写像Ａを消去する事によりマウスポインタを瞬時に移動出来る事を特徴とするマウスポインタ切り替えシステムを提供する事を課題とする。
【課題を解決するための手段】
【０００４】以上の課題を解決する為の第一発明は、画面任意の座標にマウスポインタ写像を配置しマウスポインタ切り替えボタン等押下後、現在のマウスポインタ座標からマウスポインタ写像へマウスポインタが瞬時に移動する事が出来るマウスポインタ切り替えシステムである。
また第二発明は、設定にてマウスポインタ写像数を１個にした場合、画面任意の座標にマウスポインタ写像Ａを配置しマウスポインタ切り替えボタン等押下後、現在のマウスポインタ座標にマウスポインタ写像を配置しマウスポインタ写像Ａへマウスポインタを瞬時に移動させると同時にマウスポインタ写像Ａを消去する事によりマウスポインタを瞬時に移動出来る事を特徴とするマウスポインタ切り替えシステムである。
また第三発明は、使用者が画面上に表示される前記マウスポインタ写像の個数及び色及び形状及び表示のオン・オフ等を設定にて変更出来る事を特徴とするマウスポインタ切り替えシステムである。
また第四発明は、画面上のアイコン等をクリック及びダブルクリック及びドラッグ等を実行した後にマウスポインタ切り替えボタン等にてマウスポインタ写像へマウスポインタを移動させても前記アイコン等の選択状態が維持されている事を特徴とするマウスポインタ切り替えシステムである。
また第五発明は、前記マウスポインタ写像は新たにＷＩＮＤＯＷが開いた場合にも常に前面に表示されるように再描画表示機能を備えたマウスポインタ切り替えシステムである。
【発明の効果】
【０００５】  ノートパソコン等の画面上に複数のマウスポインタ写像を表示し、マウスポインタ切り替えボタン等によってマウスポインタをマウスポインタ写像へ瞬時に移動させる機能を備えたソフトウェア及び端末機及び周辺機器によって、マウスポインタが瞬時に所望するアイコン等の近くに配置したマウスポインタ写像へ移動する事が出来る為、作業効率が大幅に向上する。
【発明を実施するための最良の形態】
【０００６】  この発明の一実施形態を、図１に示す。初期設定７にてマウスポインタ写像数を２個に設定した場合、画面１任意の座標にマウスポインタ写像Ａ、Ｂ３、４を配置しマウスポインタ切り替えボタン１７等押下後、現在のマウスポインタ２座標にマウスポインタ写像Ａを配置しマウスポインタ写像Ａ３へ瞬時に移動すると同時にマウスポインタ写像Ａ３を消去する事によりマウスポインタ２がマウスポインタ写像Ａ３へ瞬時に移動するマウスポインタ切り替えシステムである。尚、これら一連の動作は〔図２〕マウスポインタ切り替えシステムのアルゴリズムに沿って行われ、マウスポインタ２はマウスポインタ切り替えボタン１７等押下する度に順次マウスポインタ写像Ａ、Ｂ３、４へと瞬時に移動する。さらにポインタカウンタＣ１１によってマウスポインタ切り替えボタン１７等押下によるマウスポインタ２の次段の移動先が決定され、尚且つマウスポインタ切り替えボタン１７等押下によるマウスポインタ２の移動は永久的に繰り返すルーチンになっている事を特徴とするマウスポインタ切り替えシステムである。
使用者が画面１上に表示するマウスポインタ写像Ａ、Ｂ３、４の個数及び色及び形状及び表示のオン・オフ等を初期設定７にて変更出来るマウスポインタ切り替えシステムである。画面１上のアイコン等をクリック及びダブルクリック及びドラッグ等を実行した後に切り替えボタン１７等にてマウスポインタ写像Ａ、Ｂ３、４へマウスポインタ２を瞬時に移動させても前記アイコン等の選択状態が維持されている機能を備えた事を特徴とするマウスポインタ切り替えシステムである。
前記マウスポインタ写像は新たにＷＩＮＤＯＷが開いた場合にも常に前面に表示されるように再描画表示機能を備えたマウスポインタ切り替えシステムである。
「実施形態の効果」【０００７】  この実施形態によれば、ノートパソコンに外付けのマウスを接続しなくてもノートパッドとマウスポインタ切り替えシステムにより作業効率を向上させる事が出来る。
「他の実施形態」【０００８】  図３の実施形態では、ノートパソコンのキーボード上にマウスポインタ切り替えボタンが付いていたが、既存のキーボード上のキーにポインタ切り替え機能を割り当てたものでも良い。また、単体のマウスポインタ切り替えボタン機をケーブル又は無線機等によってノートパソコンに接続した形態でも良い。
【産業上の利用可能性】
【０００９】ノートパソコンではノートパッドを使用し指の操作にてマウスポインタを移動させていたが作業効率が悪いという難点があった。マウスポインタ切り替えシステムによってマウスポインタ移動の手間を省き、入力作業を効率化させる事が出来る。
【図面の簡単な説明】
【００１０】
【図１】マウスポインタ切り替えシステムの概要図である。
【図２】マウスポインタ切り替えシステムのアルゴリズムである。
【図３】マウスポインタ切り替えシステム付きノートパソコン及びマウスである。
【符号の説明】
【００１１】    １  画面
２  マウスポインタ
３  マウスポインタ写像Ａ
４  マウスポインタ写像Ｂ
５  ウィンドウ
６  タイトル：マウスポインタ切り替えシステム
７  初期設定
８  マウスポインタ写像を常に前面に表示する再描画表示機能。
９  マウスポインタの移動
１０  条件分岐：マウスポインタ切り替えキー押下
１１  ポインタカウンタＣ
初期値Ｃ＝０
Ｃ＝Ｃ＋１
１２  マウスポインタの現在座標を取得し座標ＸＹに代入する。
１３  マウスポインタを次段のマウスポインタ写像Ｃの位置に移動。
１４  移動先のマウスポインタ写像Ｃを消去する。
１５  マウスポインタ写像Ｃを座標ＸＹに配置。
１６  ポインタカウンタクリア
Ｃ＝１
１７  マウスポインタ切り替えボタン
１８  ノートパソコン
１９  マウス
【図１】
2006139742.tif 000003
【図２】
2006139742.tif 000004
【図３】
2006139742.tif 000005